(57)【要約】【課題】点滴液収容容器中の点滴液を必要量だけ正確に、且つ容易に点滴できるようにした点滴システムを提供する。【解決手段】点滴液収容容器１下端の取出口に位置調節部材１０を設け、上記位置調節部材１０に複数の挿入孔Ｈ１，Ｈ２，Ｈ３を設け、上記挿入孔に注出針１７を挿入し取出口５に穿刺させるようにした点滴システムであって、上記注出針１７に係止部１７Ｃを形成し、上記位置調節部材１０の複数の挿入孔Ｈ１，Ｈ２，Ｈ３内には上記係止部１７Ｃをそれぞれ異なる深さで係止させる係止受部Ｋ１，Ｋ２，Ｋ３を形成したものである。【選択図】　　　図１
2004065615.tif 000002
【特許請求の範囲】
【請求項１】
点滴液収容容器下端の取出口に位置調節部材を設け、上記位置調節部材に複数の挿入孔を設け、上記挿入孔に注出針を挿入し取出口に穿刺させるようにした点滴システムであって、上記注出針に係止部を形成し、上記位置調節部材の複数の挿入孔内には上記係止部をそれぞれ異なる深さで係止させる係止受部を形成したことを特徴とする点滴システム。
【請求項２】
点滴液収容容器下端の取出口に位置調節部材を設け、上記位置調節部材に挿入孔を設け、上記挿入孔に注出針を挿入し取出口に穿刺させるようにした点滴システムであって、上記注出針に水平方向に係止棒部を形成し、上記位置調節部材の挿入孔内にはそれぞれ異なる深さで上記係止棒部と係合される複数の係止溝部を形成したことを特徴とする点滴システム。
【請求項３】
点滴液収容容器下端の取出口に位置調節部材を設け、上記位置調節部材に挿入孔を設け、上記挿入孔に注出針を挿入し取出口に穿刺させるようにした点滴システムであって、上記注出針に係止部を形成し、上記位置調節部材の挿入孔内には上記係止部を係止させる係止受部を形成し、上記位置調節部材に上記係止受部をそれぞれ異なる深さで係止させる係止機構を形成したことを特徴とする点滴システム。
【発明の詳細な説明】
【０００１】
【発明の属する技術分野】
本発明は、点滴液収容容器中の点滴液を点滴する点滴システムに関する。
【０００２】
【従来の技術】
従来から点滴においては、患者の体重当たりとか、重症度により、所要の投与量となるように点滴量を調節して実施されている。しかし、医薬品として臨床応用されている製剤の容量は限定されているため、その一部を点滴する場合には、例えば容器の目盛に従って点滴する液量の液面に筆記具で印を付け、そこまで点滴した時点で点滴を終了するなどの方法が用いられている。また、容器中から所定容量の点滴液を注射針で抽出し、他の容器に移し替えて所定量の点滴を行う、あるいは反対に容器中に所定容量の点滴液が残るように不要の薬液を注射筒で吸引除去した後に点滴を行う方法が行われてきた。
【０００３】
しかし、容器の目盛に従って点滴する液量の液面の位置に筆記具で印を付け、そこまで点滴する方法では、医師や看護婦が手動にて点滴を終了させることが必要であり、それを怠った場合には過剰量の点滴液が患者に投与されてしまうという問題があった。点滴ボトルは使用する際には転倒して用いるため、筆記具で印を付ける位置を誤ってしまうことのないように注意しなければならない。また、容器中から所定容量の点滴液を注射針で抽出し、他の容器に移し替えて所定量の点滴を行う、あるいは反対に容器中に所定容量の点滴液が残るように不要の薬液を注射筒で吸引除去した後に点滴を行う方法では、いずれの場合も、注射筒で点滴液を抜き取る操作を要するため、感染リスクを高める、医療廃棄物の増加、点滴液の取り間違い（どちらが点滴する方で、どちらが捨てる方かの取り違え）を起こす危険もある。
【０００４】
【発明が解決しようとする課題】
本発明はこのような点に基づいてなされたものでありその目的とするところは、点滴液収容容器中の点滴液を必要量だけ正確に、且つ容易に点滴できるようにした点滴システムを提供することにある。
【０００５】
【課題を解決するための手段】
上記目的を達成するべく本発明の請求項１記載の点滴システムは、点滴液収容容器下端の取出口に位置調節部材を設け、上記位置調節部材に複数の挿入孔を設け、上記挿入孔に注出針を挿入し取出口に穿刺させるようにした点滴システムであって、上記注出針に係止部を形成し、上記位置調節部材の複数の挿入孔内には上記係止部をそれぞれ異なる深さで係止させる係止受部を形成したことを特徴とするものである。
【０００６】
また、請求項２記載の点滴システムは、点滴液収容容器下端の取出口に位置調節部材を設け、上記位置調節部材に挿入孔を設け、上記挿入孔に注出針を挿入し取出口に穿刺させるようにした点滴システムであって、上記注出針に水平方向に係止棒部を形成し、上記位置調節部材の挿入孔内にはそれぞれ異なる深さで上記係止棒部と係合される複数の係止溝部を形成したことを特徴とするものである。
【０００７】
また、請求項３記載の点滴システムは、点滴液収容容器下端の取出口に位置調節部材を設け、上記位置調節部材に挿入孔を設け、上記挿入孔に注出針を挿入し取出口に穿刺させるようにした点滴システムであって、上記注出針に係止部を形成し、上記位置調節部材の挿入孔内には上記係止部を係止させる係止受部を形成し、上記位置調節部材に上記係止受部をそれぞれ異なる深さで係止させる係止機構を形成したことを特徴とするものである。
【０００８】
【作用】
請求項１記載の点滴システムの場合には、各挿入孔の係止受部は、注出針の係止部を当接させることにより、点滴量に対応した点滴液収容容器のそれぞれ異なる深さまで注出針の先端の挿入を許容するようになっている。そこで、複数の挿入孔のうち所望の点滴量に対応した挿入孔を選択して注出針を挿入し、係止部を選択した挿入孔内の係止受部に当接させると、針先端は所望の点滴量を投与できるレベルまで正確に刺し込まれることになる。
【０００９】
この状態で点滴を行うと、点滴液収容容器の点滴液は針先端の位置まで投与されるから、点滴液収容容器中の点滴液を所定量だけ正確に点滴できる。また、その作業も、点滴量に対応した挿入孔を選択して注出針を挿入するだけでよく、作業が容易である。
【００１０】
また、請求項２記載の点滴システムの場合には、複数の係止受溝部は点滴量に対応した点滴液収容容器のそれぞれ異なる深さまで挿入を許容するようになっている。そこで、挿入孔に注出針を挿入し、複数の係止受溝部のうち所望の点滴量に対応した係止受溝部に係止棒部が位置するまで挿入し、ここで水平方向に回動させることにより、係止棒部を係止受溝部に係止させれば、針先端は所望の点滴量を投与できるレベルまで正確に刺し込まれることになる。
【００１１】
この状態で点滴を行うと、点滴液収容容器の点滴液は針先端の位置まで投与されるから、点滴液収容容器中の点滴液を所定量だけ正確に点滴できる。また、その作業も、注出針を挿入し、点滴量に対応した係止溝部を選択して係止棒部を係止させるだけでよく、作業が容易である。
【００１２】
また、請求項３記載の点滴システムの場合には、位置調節部材に形成された係止機構により係止受部の位置を点滴量に対応した点滴液収容容器のそれぞれ異なる深さまで注出針の挿入を許容するように調節可能となっている。そこで、係止受部の位置を所望の点滴量に対応した位置に設定し、しかる後、注出針を挿入し、係止部を選択した挿入孔内の係止受部に当接させると、針先端は所望の点滴量を投与できるレベルまで正確に刺し込まれることになる。
【００１３】
この状態で点滴を行うと、点滴液収容容器の点滴液は針先端の位置まで投与されるから、点滴液収容容器中の点滴液を所定量だけ正確に点滴できる。また、その作業も、係止機構により点滴量に対応した係止受部の位置に設定し、しかる後、注出針を挿入するだけでよく、作業が容易である。
【００１４】
【発明の実施の形態】
以下、図１〜図６を参照して本発明の第１の実施の形態を説明する。図１は本発明の点滴システム１００を示す分解斜視図、図２は点滴液収容容器の一部破断正面図、図３は点滴調節手段の断面図、図４は点滴調節手段の底面図、図５は点滴セットの正面図である。
【００１５】
図１に示すように、本発明の点滴システム１００は、点滴液収容容器１と、上記点滴液収容容器１の取出口５に設けられる位置調節部材１０と、上記位置調節部材１０を介して点滴液収容容器１の取出口５に穿刺される注出針１７と、からなる。
【００１６】
上記点滴液収容容器１は、例えば、円筒状をなし、点滴液を１００ｍＬ充填でき、手で押しても変形しないプラスチックやガラス製の容器であり、内部の点滴液Ｙを容易に視認可能な透明な材質で形成されている。上記点滴液収容容器３の下端には取出口５が設けられ、この部分はゴム栓５Ａにて閉塞されている。上記点滴液収容容器３の表面には、満杯レベル位置を「０」とし、下方の位置に「２０」「４０」「６０」「８０」「１００」の２０ｍＬ単位で読み取り可能な目盛が設けられている。
【００１７】
点滴セット１５は、図５に示すように、可撓性チューブ１３の基端１３Ａに、長い注出針１７がその基部１７Ｂで接続されたものである。基部１７Ｂの先端は注出針１７よりやや太く形成されていて係止部１７Ｃとなっている。上記可撓性チューブ１３の他端には注射針２１が接続され、中間には点滴筒２０と点滴速度を調節するローラークランプ２３を備えている。
【００１８】
上記点滴液収容容器１の取出口５には位置調節部材１０が設けられる。位置調節部材１０は、図３，図４に示すように、円柱状をなし、その上部には点滴液収容容器１の取出口５と係合する係合筒部１０Ａが形成され、内部には挿通孔１０Ｂと係合孔部１０Ｃとを有する。上記点滴調節手段１０の下部には、垂直方向に延長させた位置決め筒部１０Ｄが形成されている。
【００１９】
上記位置決め筒部１０Ｄの内部には、複数の挿入孔Ｈ１，Ｈ２，Ｈ３が下端面１０Ｅから垂直方向Ｏにあけられている。上記複数の挿入孔Ｈ１，Ｈ２，Ｈ３には、異なる深さ位置に係止受部Ｋ１，Ｋ２，Ｋ３が設けられている。この係止受部Ｋ１，Ｋ２，Ｋ３の位置は注出針１７を上記点滴液収容容器のそれぞれ異なる深さまで挿入することを許容するためのものである。
【００２０】
具体的には、図４に示すように、下端面１０Ｅの挿入孔Ｈ１，Ｈ２，Ｈ３の周囲にそれぞれ「４０ｍＬ」「６０ｍＬ」「１００ｍＬ」の文字が記載されている。そして、これに対応して上記挿入孔Ｈ１，Ｈ２，Ｈ３の奥に係止受部Ｋ１，Ｋ２，Ｋ３を設けている。係止受部Ｋ１，Ｋ２，Ｋ３の位置は、「４０ｍＬ」「６０ｍＬ」「１００ｍＬ」の容量に合わせ、注出針１７の係止部１７Ｃを当接させると、先端１７Ａが点滴液収容容器１の「４０ｍＬ」「６０ｍＬ」「１００ｍＬ」の位置まで挿入されるようになっている。尚、係止受部Ｋ１，Ｋ２，Ｋ３の上端には、注出針１７を挿通するための通孔ｈ１，ｈ２，ｈ３があけられている。
【００２１】
以上の構成を基にその作用を説明する。点滴システム１００は、上記挿入孔Ｈ１，Ｈ２，Ｈ３の何れか一つを選択して点滴セット１５を構成する可撓性チューブ１３の基端１３Ａに設けた注出針１７を挿入し、その係止部１７Ｃを係止受部Ｋ１，Ｋ２，Ｋ３に係止させる。これにより、注出針１７の針先端１７Ａを点滴液収容容器１内の所定レベルＬ１，Ｌ２，Ｌ３まで段階的に穿刺させるものである。
【００２２】
例えば、患者に「４０ｍＬ」の点滴液を点滴したい場合は、図６（ａ）に示すように、この位置調節部材１０の底部に「４０ｍＬ」と記載された挿入孔Ｈ１に注出針１７を挿入し、係止部１７Ｃが係止受部Ｋ１に当接するまで穿刺させる。これにより、針先端１７Ａが取出口５（ゴム栓５Ａ）を貫通して点滴液収容容器１内の所定レベルＬ１に位置することになる。そして、点滴液収容容器１を垂直に吊り下げた状態で保持し、通常の点滴操作を行うと、点滴液収容容器１の満杯レベル位置「０」に充填されている点滴液Ｙは、点滴液収容容器１内の所定レベルＬ１に合わせられた針先端１７Ａの位置まで点滴される。
【００２３】
また、患者に「６０ｍＬ」の点滴液を点滴したい場合は、図６（ｂ）に示すように、底部に「６０ｍＬ」と記載された挿入孔Ｈ２に注出針１７を挿入させ係止部１７Ｃが係止受部Ｋ２に当接するまで穿刺させる。これにより、針先端１７Ａが取出口５を貫通して点滴液収容容器１内の所定レベルＬ２に位置する。また、患者に「１００ｍＬ」の点滴液を点滴したい場合は、図６（ｃ）に示すように、底部に「１００ｍＬ」と記載された挿入孔Ｈ３に注出針１７を挿入させ係止部１７Ｃが係止受部Ｋ３に当接するまで穿刺させる。これにより、針先端１７Ａが取出口５を貫通して点滴液収容容器１内の所定レベルＬ３に位置する。
【００２４】
上記点滴システム１００によると、以下のような効果を奏することができる。まず、点滴液収容容器下端の取出口に装着された位置調節部材に設けた複数の挿入孔のうち、点滴量に対応した挿入孔を選択して注出針を挿入し、係止部を係止受部に当接するまで挿入すれば、針先端が点滴液収容容器内の所定レベルに正確に刺し込まれる。この状態で点滴を行うと、点滴液収容容器の点滴液は針先端の位置まで投与されるから、点滴液収容容器中の点滴液を所定量だけ正確に点滴できる。また、その作業も、点滴量に対応した挿入孔を選択して注出針を挿入するだけでよく、作業が容易である。
【００２５】
また、本発明の点滴システム１００は、滴液収容容器下端の取出口と位置調節部材との形状の適合で使用されるから、正しい組合せでのみ使用され、誤って違う薬剤等を点滴してしまうような事故を防止することができる。
【００２６】
更に、注出針の挿入位置により、点滴量を規定するようにしているから、点滴終了時に点滴液が針先端の位置まで減っていれば、正確に所定量が投与されたことを目視により確認でき、投与量を二重に確認することができる。
【００２７】
次に、図７〜図１１を参照して本発明の第２の実施の形態を説明する。この点滴システム２００は、下端に取出口５を有する点滴液収容容器１と、上記点滴液収容容器１の取出口５に設けられる位置調節部材３０と、上記位置調節部材３０を介して点滴液収容容器１の取出口５に穿刺される注出針１７とからなる。上記点滴液収容容器１は、例えば、円筒状をなし、点滴液を１００ｍＬ充填でき、手で押しても変形しないプラスチックやガラス製の容器により形成されている。点滴セット１５は、図１０に示すように、可撓性チューブ１３の基端１３Ａに注出針１７を設けたものであり、上記注出針１７の基部１７Ｄに水平方向に係止棒部１７Ｅが形成されている。
【００２８】
上記位置調節部材３０は、図８，図９に示すように、筒体３０Ａの中心位置に挿入孔Ｈが垂直方向Ｏに設けられ、この挿入孔Ｈの下端面３０Ｅと外周面３０Ｆに開口する導入溝３０Ｇが垂直方向に穿設されている。そして、挿入孔Ｈの深さ方向の異なる位置Ｊ１，Ｊ２，Ｊ３に、この挿入孔Ｈと導入溝３０Ｇに連通し、且つ外周面３０Ｆに開口する複数の扇状の係止受溝部３０Ｈ，３０Ｉ，３０Ｊが水平方向に設けられている。上記外周面３０Ｆの係止受溝部３０Ｈ，３０Ｉ，３０Ｊの周囲には、「４０ｍＬ」「６０ｍＬ」「１００ｍＬ」の文字が記載されている。
【００２９】
この係止受溝部３０Ｈ，３０Ｉ，３０Ｊの位置は注出針１７を上記点滴液収容容器のそれぞれ異なる深さまで挿入することを許容するためのものである。上記係止受溝部３０Ｈ，３０Ｉ，３０Ｊの何れか一つを選択して注出針１７を挿入し、その係止棒部１７Ｅを係止受溝部３０Ｈ，３０Ｉ，３０Ｊに係止させる。これにより、注出針１７の針先端１７Ａを点滴液収容容器１内の所定レベルＬ１，Ｌ２，Ｌ３まで段階的に穿刺させるものである。その他の構成は上記第１の実施の形態のものと同じであり、その説明を省略する。
【００３０】
以上の構成を基にその作用を説明する。点滴システム２００は、点滴液収容容器下端の取出口に装着された位置調節部材３０に設けた挿入孔Ｈに注出針１７を挿入し、複数の係止受溝部３０Ｈ，３０Ｉ，３０Ｊの何れか一つを選択して係止棒部１７Ｅを選択した係止受溝部３０Ｈ，３０Ｉ，３０Ｊに係止させる。これにより、注出針１７の針先端１７Ａを点滴液収容容器１内の所定レベルＬ１，Ｌ２，Ｌ３まで段階的に穿刺させるものである。
【００３１】
例えば、患者に「４０ｍＬ」の点滴液を点滴したい場合は、図１１（ａ）に示すように、挿入孔Ｈに注出針１７を挿入し、係止棒部１７Ｅを位置調節部材３０の外周面に「４０ｍＬ」と記載された係止受溝部３０Ｈまで挿入し、ここで水平方向に回動させることにより係止棒部１７Ｅを係止受溝部３０Ｈに係止させる。これにより針先端１７Ａが取出口５（ゴム栓５Ａ）を貫通して点滴液収容容器１内の所定レベルＬ１に位置することになる。そして、点滴液収容容器１を垂直に吊り下げた状態で保持し、通常の点滴操作を行うと、点滴液収容容器１の満杯レベル位置「０」に充填されている点滴液Ｙは、点滴液収容容器１内の所定レベルＬ１に合わせられた針先端１７Ａの位置まで点滴される。
【００３２】
また、患者に「６０ｍＬ」の点滴液を点滴したい場合は、図１１（ｂ）に示すように、係止棒部１７Ｅを位置調節部材３０の外周面に「６０ｍＬ」と記載された係止受溝部３０Ｉまで挿入し、ここで水平方向に回動させることにより係止棒部１７Ｅを係止受溝部３０Ｉに係止し、これにより、針先端１７Ａが取出口５を貫通して点滴液収容容器１内の所定レベルＬ２に位置する。更に、患者に「１００ｍＬ」の点滴液を点滴したい場合は、図１１（ｃ）に示すように、係止棒部１７Ｅを位置調節部材３０の外周面に「１００ｍＬ」と記載された係止受溝部３０Ｊまで挿入し、ここで水平方向に回動させることにより係止棒部１７Ｅを係止受溝部３０Ｊに係止し、これにより、針先端１７Ａが取出口５を貫通して点滴液収容容器１内の所定レベルＬ３に位置する。
【００３３】
上記点滴システム２００によると、以下のような効果を奏することができる。まず、滴液収容容器下端の取出口に装着された位置調節部材３０に設けた挿入孔Ｈに注出針１７を挿入し、複数の係止受溝部３０Ｈ，３０Ｉ，３０Ｊのうち点滴量に対応した何れか一つを選択して係止棒部１７Ｅを選択した係止受溝部３０Ｈ，３０Ｉ，３０Ｊに係止させれば、注出針１７の針先端１７Ａを点滴液収容容器１内の所定レベルＬ１，Ｌ２，Ｌ３に正確に穿刺される。この状態で点滴を行うと、点滴液収容容器の点滴液は針先端の位置まで投与されるから、点滴液収容容器中の点滴液を所定量だけ正確に点滴できる。また、その作業も、注出針を挿入し、点滴量に対応した係止溝部を選択して係止棒部を係止させるだけでよく、作業が容易である。また、上記のほか、上記第１の実施の形態の点滴システム１００に記載したのと同様の作用効果を奏することができる。
【００３４】
次に、図１２〜図１３を参照して本発明の第３の実施の形態を説明する。この点滴システム３００は、下端に取出口５を有する点滴液収容容器１と、上記点滴液収容容器１の取出口５に設けられる位置調節部材４０と、上記位置調節部材４０を介して点滴液収容容器１の取出口５に穿刺される注出針１７と、からなる。注出針１７は基部１７Ｂの先端が注出針１７よりやや太く形成されていて係止部１７Ｃとなっている。上記位置調節部材４０は、挿入孔Ｈを有するとともに、挿入孔Ｈ内に係止受部Ｋを形成している。そして、上記係止受部Ｋの位置を点滴量に対応した点滴液収容容器１のそれぞれ異なる深さまで注出針１７の挿入を許容する係止機構Ｍを備えている。図１２，図１３に示すように、上記位置調節部材４０は、取出口５に固定する固定部５０とこれに対して垂直方向に移動可能に取り付けられた可動部６０とから構成されている。上記可動部６０の中心位置には下端面から垂直方向Ｏに挿入孔Ｈが穿設され、この挿入孔Ｈ内に係止受部Ｋが設けられている。上記可動部６０は、固定部５０に対して可動部６０の位置を段階的に調節させるべく、可動部６０の外面に係止棒部Ｐを形成し、固定部５０側にはこの係止棒部Ｐと係合される縦溝５０Ａとその深さ方向の異なる位置Ｊ１，Ｊ２，Ｊ３に、縦溝５０Ａ及び外周面５０Ｂと連通する複数の扇状の係止溝部５０Ｈ，５０Ｉ，５０Ｊを形成している。尚、上記外周面６０Ｅの係止溝部５０Ｈ，５０Ｉ，５０Ｊの周囲には、上から「４０ｍＬ」「６０ｍＬ」「１００ｍＬ」の文字が記載されている。
【００３５】
尚、上記係止機構Ｍは、上記の実施の形態のものに限られるものではなく、例えば、複数の係止溝部５０Ｈ，５０Ｉ，５０Ｊに代えて係合孔５０Ｈ，５０Ｉ，５０Ｊを開けるとともに、係止棒部Ｐに代えて可動部の外周部にバネ板からなる係止部を設け、この出没作用によりバネ板を係合孔５０ｈ，５０ｉ，５０ｊのいずれか一つに段階的に係止させるようにしても良い。
【００３６】
以上の構成を基にその作用を説明する。点滴システム３００は位置調節部材４０に形成された係止機構Ｍにより係止受部Ｋの位置を点滴量に対応した点滴液収容容器１０のそれぞれ異なる深さまで注出針の挿入を許容するように調節可能としたものである。例えば、患者に「４０ｍＬ」の点滴液を点滴したい場合は、図１２に示すように、この位置調節部材４０の外周面に「４０ｍＬ」と記載された係止溝部５０Ｈに係止棒部Ｐを係止させ、係止受部Ｋの位置を点滴量に対応した点滴液収容容器１０の所望の深さに設定する。しかる後、注出針１７を挿入し、係止部１７Ｃが係止受部Ｋ１に当接するまで穿刺させる。これにより、針先端１７Ａが取出口５（ゴム栓５Ａ）を貫通して点滴液収容容器１内の所定レベルＬ１に位置することになる。そして、点滴液収容容器１を垂直に吊り下げた状態で保持し、通常の点滴操作を行うと、点滴液収容容器１の満杯レベル位置「０」に充填されている点滴液Ｙは、点滴液収容容器１内の所定レベルＬ１に合わせられた針先端１７Ａの位置まで点滴される。以下、「６０ｍＬ」「１００ｍＬ」の場合も、上記と同様の操作を行うものであり、その説明を省略する。
【００３７】
上記点滴システム３００によると、以下のような効果を奏することができる。まず、位置調節部材４０に形成された係止機構Ｍにより係止受部Ｋの位置を点滴量に対応した点滴液収容容器１０のそれぞれ異なる深さまで注出針の挿入を許容するように調節可能となっている。そこで、係止棒部Ｐを複数の扇状の係止溝部５０Ｈ，５０Ｉ，５０Ｊのうち所望の点滴量に対応した位置に係止し、係止受部Ｋの位置を点滴量に対応した点滴液収容容器１０の所望の深さに設定する。しかる後、注出針１７を挿入し、係止部１７Ｃを選択した挿入孔Ｈ内の係止受部Ｋに当接させると、針先端１７Ａは所望の点滴量を投与できるレベルまで正確に刺し込まれる。
【００３８】
この状態で点滴を行うと、点滴液収容容器１０点滴液は針先端１７Ａの位置まで投与されるから、点滴液収容容器１０の点滴液を所定量だけ正確に点滴できる。また、その作業も、係止機構Ｍにより係止棒部Ｐを複数の扇状の係止溝部５０Ｈ，５０Ｉ，５０Ｊのうち所望の点滴量に対応した位置に係止して係止受部Ｋの位置に設定し、しかる後、注出針を挿入するだけでよく、作業が容易である。
【００３９】
【発明の効果】
以上詳述したように、請求項１記載の点滴システムによると、注出針に係止部を形成し、上記位置調節部材の複数の挿入孔内には上記係止部をそれぞれ異なる深さで係止させる係止受部を形成したから、複数の挿入孔のうち患者の体重などから所望の点滴量に対応した挿入孔を選択して注出針を挿入し、係止部を選択した挿入孔内の係止受部に当接させることで、点滴液収容容器中の点滴液を所定量だけ正確に点滴できる。また、その作業も、点滴量に対応した挿入孔を選択して注出針を挿入するだけでよく、作業が容易である。
【００４０】
また、請求項２記載の点滴システムによると、注出針に水平方向に係止棒部を形成し、上記位置調節部材の挿入孔内にはそれぞれ異なる深さで上記係止棒部と係合される複数の係止溝部を形成したから、挿入孔に注出針を挿入し、複数の係止受溝部のうち所望の点滴量に対応した係止受溝部に係止棒部が位置するまで挿入し、ここで水平方向に回動させることにより、係止棒部を係止受溝部に係止させることで、点滴液収容容器中の点滴液を所定量だけ正確に点滴できる。また、その作業も、注出針を挿入し、点滴量に対応した係止溝部を選択して係止棒部を係止させるだけでよく、作業が容易である。
【００４１】
また、請求項３記載の点滴システムによると、上記注出針に係止部を形成し、上記位置調節部材の挿入孔内には上記係止部を係止させる係止受部を形成し、上記位置調節部材に上記係止受部をそれぞれ異なる深さで係止させる係止機構を形成したから、係止受部の位置を所望の点滴量に対応した位置に設定し、しかる後、注出針を挿入し、係止部を選択した挿入孔内の係止受部に当接させることで、点滴液収容容器中の点滴液を所定量だけ正確に点滴できる。また、その作業も、係止機構により点滴量に対応した係止受部の位置に設定し、しかる後、注出針を挿入するだけでよく、作業が容易である。
【図面の簡単な説明】
【図１】本発明の第１実施形態を示し、点滴システムの斜視図である。
【図２】本発明の第１実施形態を示し、点滴液収容容器の拡大断面図である。
【図３】本発明の第１実施形態を示し、点滴調節手段の拡大断面図である。
【図４】本発明の第１実施形態を示し、点滴調節手段の底面図である。
【図５】本発明の第１実施形態を示し、可撓性チューブの正面図である。
【図６】本発明の第１実施形態を示し、点滴システムの作用断面図である。
【図７】本発明の第２実施形態を示し、点滴システムの斜視図である。
【図８】本発明の第２実施形態を示し、点滴調節手段の拡大斜視図である。
【図９】本発明の第２実施形態を示し、点滴調節手段の底面図である。
【図１０】本発明の第２実施形態を示し、可撓性チューブの正面図である。
【図１１】本発明の第２実施形態を示し、点滴システムの作用断面図である。
【図１２】本発明の第３実施形態を示し、点滴システムにおける点滴調節手段の断面である。
【図１３】本発明の第３実施形態を示し、点滴調節手段のＩ−Ｉ線断面図である。
【符号の説明】
１　　　　　　　　　　　　　点滴液収容容器
５　　　　　　　　　　　　　取出口
１０　　　　　　　　　　　　位置調節手段
１０Ａ　　　　　　　　　　　係合筒部
１０Ｂ　　　　　　　　　　　挿通孔
１０Ｃ　　　　　　　　　　　係合孔部
１０Ｄ　　　　　　　　　　　位置決め筒部
１０Ｅ　　　　　　　　　　　下端面
１３　　　　　　　　　　　　可撓性チューブ
１３Ａ　　　　　　　　　　　基端
１３Ｂ　　　　　　　　　　　先端
１５　　　　　　　　　　　　点滴セット
１７　　　　　　　　　　　　注出針
１７Ａ　　　　　　　　　　　針先端
１７Ｂ　　　　　　　　　　　基部
１７Ｃ　　　　　　　　　　　係止部
１７Ｅ　　　　　　　　　　　係止棒部
２０　　　　　　　　　　　　点滴筒
２１　　　　　　　　　　　　注射針
２３　　　　　　　　　　　　ローラー・クランプ
３０　　　　　　　　　　　　位置調節部材
３０Ａ　　　　　　　　　　　筒体
３０Ｅ　　　　　　　　　　　下端面
３０Ｇ　　　　　　　　　　　導入溝
３０Ｆ　　　　　　　　　　　外周面
３０Ｈ，３０Ｉ，３０Ｊ　　　係止受部
４０　　　　　　　　　　　　位置調節部材
５０　　　　　　　　　　　　固定部
５０Ｈ，５０Ｉ，５０Ｊ　　　係止溝部
５０Ｅ　　　　　　　　　　　外周面
６０　　　　　　　　　　　　可動部
Ｌ１，Ｌ２，Ｌ３　　　　　　所定点滴レベル
Ｊ１，Ｊ２，Ｊ３　　　　　　深さ方向の異なる位置
Ｋ１，Ｋ２，Ｋ３　　　　　　係止受部
Ｈ　　　　　　　　　　　　　挿入孔
ｈ１，ｈ２，ｈ３　　　　　　通孔
Ｈ１，Ｈ２，Ｈ３　　　　　　挿入孔
Ｏ　　　　　　　　　　　　　垂直方向
Ｍ　　　　　　　　　　　　　係止機構
Ｙ　　　　　　　　　　　　　点滴液
【図１】
2004065615.tif 000003
【図２】
2004065615.tif 000004
【図３】
2004065615.tif 000005
【図４】
2004065615.tif 000006
【図５】
2004065615.tif 000007
【図６】
2004065615.tif 000008
【図７】
2004065615.tif 000009
【図８】
2004065615.tif 000010
【図９】
2004065615.tif 000011
【図１０】
2004065615.tif 000012
【図１１】
2004065615.tif 000013
【図１２】
2004065615.tif 000014
【図１３】
2004065615.tif 000015